(57)【要約】      （修正有）【課題】保持式頭部管付き管楽器を提供する。【解決手段】頭部管１や個別の音孔を必要個数有する管体２及び単体のカバー３から主構成される管楽器であって、頭部管には発音部に加え保持用形状部を特設し、この頭部管と前記管体を連結するとともに、管体の外部周囲側と管体の長さ内に、指の替わりになるカバーを可動配置した構成とし、頭部管の保持用形状部６を保持支点としてカバーをスライド操作自在に改善した。【選択図】図６
0003225343.tif 000002
【実用新案登録請求の範囲】
【請求項１】
頭部管１と管体２及びカバー３から主構成される管楽器であって、頭部管１には発音部５に加え保持用形状部６を形成し、管体２には個別の音孔４を必要個数開設させ、前記の頭部管１と管体２を連結するとともに、管体２の外部周囲側にカバー３を可動配置した構成とし、頭部管１の保持用形状部６を保持且つ支点としてカバー３をスライド操作自在としたところを特徴とする保持式頭部管付き管楽器。
【考案の詳細な説明】
【技術分野】
【０００１】  本考案は、スライドホイッスルなどの管楽器の改良に関するものである。特に、スライドホイッスルなどの管楽器の保持等の構成の改良・改善、及びソプラノ・アルトリコーダー、ティンホイッスル、フルートなどへの発展的利用・応用も図る。
【背景技術】
【０００２】  管楽器の一種であるスライドホイッスルは、注射器の針の部分に頭部管を付けたような構成で、演奏時には、本体を一方の手で、スライダーを他方の手で持ち、両手を使って無段階に音を出して演奏する。片手では操作・演奏できない。スライダーは、高音時には管体の中に納まるが、低音時には管体から菅尻外に大きくはみ出す構成になっている。
【先行技術文献】
【非特許文献】
【０００３】
【非特許文献１】インターネット掲載：ｈｔｔｐｓ：／／ｊａ．ｗｉｋｉｐｅｄｉａ．ｏｒｇ／ｗｉｋｉ／スライドホイッスル（ＵＲＬ検索年月日：２０１９年１２月０３日）。
【考案の概要】
【考案が解決しようとする課題】
【０００４】  管楽器の一種でありスライド操作で演奏するスライドホイッスルでは、両手を使い、管体を一方の手で保持し、他方の手でスライダーを上下に滑らせて無段階に音を出して演奏するため、片手での演奏は全くできないなどの大きな欠点があった。
【課題を解決するための手段】
【０００５】  本考案は、特に片手での演奏が全くできないなどの大きな課題を解決するため、頭部管や個別の音孔を必要個数有する管体及び単体のカバーから主構成される管楽器であって、頭部管には発音部に加え菅頭側に保持用形状部を特設し、この頭部管と前記管体を連結するとともに、管体の外部周囲側にカバーを可動配置した構成とし、頭部管の保持用形状部を保持且つ支点としてカバーをスライド操作自在とした。
【考案の効果】
【０００６】  本考案は、両手を使う必要がなく、片手などでのスライド操作での演奏が可能になるなど以下のような数点の大きな効果をもたらした。実施例の図６に使用例を示すように、頭部管の保持用形状部を口の唇などでくわえて保持・支点として、片手の一指または少数の指や、片手の一部などでカバーを自在にスライド操作して演奏できる。このカバーが指の替わりになっている。息の吹き込み用ホースや管体の支持台などを追加して、発展的応用構成にすると、手・指を全く使わないで足のみでも演奏可能である。手や指の不自由な人、使えない人であっても当該管楽器が演奏可能になる。これまで管楽器の演奏が困難であった手や指の不自由な人、使えない人に大いなる福音を与えることができる。加えて、管体に音孔を開設したので音程を明確に奏でる効果がある。カバーは、管体の外部周囲側と管体の長さ内に配置しており、管体内に納まるのでコンパクト化できる効果がある。
【図面の簡単な説明】
【０００７】
【図１】本考案の一実施例である管楽器の上面図を示す。
【図２】本考案の一実施例である管楽器の正面図を示す。
【図３】本考案の一実施例である管楽器の斜視図を示す。
【図４】本考案の一実施例である管楽器の斜視図を示す。
【図５】本考案の一実施例である管楽器の一使用例の拡大側面図を示す。
【図６】本考案の一実施例である管楽器の一使用例の外観図を示す。
【図７】本考案の一実施例である管楽器の図６の一部の断面図を示す。
【考案を実施するための形態】
【０００８】  以下、添付図面に従って実施例を説明する。
図１の上面図に示すように、本考案の管楽器は、頭部管１や個別の音孔４を必要個数有する管体２及び単体のカバー３から主構成される管楽器である。頭部管１には、息の吹き込み通路を有する発音部５に加え保持用形状部６を菅頭側に特設する。追加保持形状として、唄口の保持用形状部６の近傍菅頭側に、外側方向に適宜拡大した凸状の保持用形状部７を追加する。この頭部管１と前記管体２を連結して構成する。管体２に開設する個別の音孔４は、音程や音階に必要な個数に設定して開設する。管体２の外部周囲側にはカバー３を可動配置した構成となっている。管体２の長さ内に配置するカバー３の長さは、前記個別に開設する必要個数の音孔すべてをカバーできる程度に設定する。カバー３に音孔は開設して無く、カバー３が実質上指の替わりになっている。カバー３がスライドしやすいように保持具１０を付加する。カバー３の一方端は頭部管１であり、他方端として菅尻側にストッパー８を配置する。このストッパーにはクッション用ゴムリング９を付加する。
図２は、本考案楽器の正面図を示す。頭部管１と音孔４の周囲方向位置は、使用上適切な位置・方向に配置する。図１、２ではカバー３が頭部管１側にあり、音孔４が全オープンになっている。
図１、２の応用例として、頭部管１が図１、２に示す管体２と同じ軸線方向ではなく、フルートなどの横笛になるように管体２の軸線と直角方向等に配置構成してもよい。
【実施例１】
【０００９】  図３は、本考案楽器の斜視図を示す。この図例では、カバー３が頭部管１側にあり、全音孔４がオープン状態を示す。
図４は、本考案楽器の別の斜視図を示す。この図では、カバー３が菅尻のストッパー８側にあり、全音孔４がクローズ状態を示す。図４の１５はドレミ等の位置の目印である。
【実施例２】
【０００１０】  図５は、口の上下の唇１１で頭部管１の菅頭側の保持用形状部６を保持する状態を示す。凸状の保持用形状部７が抜け止めの役割をしている。保持用形状部６は、歯１２でかまない。歯で噛むと保持用形状部が傷つきやすく、かつ骨伝導により音が頭に響きやすい。この図では発音部５が下側にあるが上側などに配置してもよい。
図６は、本考案楽器の使用例を示す。図６では、唇１１で保持用形状部６をくわえ、片手の二本指１３でカバー３を保持している。この図で音孔４は下側に向いている。図６に示すように音孔４を下向きにして使用すると、図７に示す接触原理で音孔４をカバー３でクローズしやすくなる。演奏に支障ない場合は、音孔は上向き等であってもよい。
【実施例３】
【０００１１】  図７の断面図は、図６の使用例における管体２とカバー３の接触原理を示す。管体２とカバー３の相対運動により摩擦が生じた場合、双方に擦り減りが発生する。擦り減りにより双方間に隙間１４が発生する。その場合に、音孔を下向きにして使用すると、図６の力作用形態から、管体２の音孔４が、管体２の自重によってカバー３と接触することになり、隙間１４が発生した場合でもカバー３で音孔４をクローズしやすくなる効果がある。前記の力作用形態は、保持用形状部６とカバー３の保持力が上向きで、管体２の自重が下向きとなっている。
【産業上の利用可能性】
【０００１２】  本考案は、頭部管の保持用形状部を口の唇でくわえて保持・支点として、片手の一指または少数の指、または片手の一部などでカバーを自在にスライド操作できるので、手や指の不自由な人であっても当該管楽器が利用可能である。次のような新たな管楽器としても利用できる。例えば、ソプラノ・アルトリコーダー、ティンホイッスル、フルートなどの種々の調管に利用できる。また、民謡のひょっとこ踊り等の専用・単純化した笛にも利用できる。さらに、息の吹き込み用ホースや管体の支持台などを追加して、発展的応用構成にすると、手や指が使えない人であっても足を使うことにより当該管楽器が利用可能である。これまで管楽器の演奏が困難であった手や指の不自由な人、使えない人に大いなる福音を与えることができる。また、幼児や高齢者の方などで音孔の開閉が出来難い人であっても容易に利用できる。これまで指使いが苦手な人やできなかった人でも楽に自由に当該管楽器が利用できるようになる。
本考案は、上記のように、新たな管楽器に利用できるようになるので、新たに命名できる。例えば「スライドリコーダー」、「スライドフルート」、「スライドティンホイッスル」。図７に示す断面図のように二つの輪から構成され、ドレミから上のミの十音以上は発せられるので「二輪十音：にりんとおん：Ｎｉｒｉｎｔｏｎｅ」等。
【符号の説明】
【０００１３】１：頭部管、
２：管体、
３：カバー、
４：音孔、
５：頭部管１の発音部、
６：頭部管１の保持用形状部、
７：頭部管１の保持用形状部、
８：菅尻側ストッパー、
９：ゴムクッション、
１０：カバー３の保持具、
１１：口の唇、
１２：口の歯、
１３：手の指、
１４：管体２とカバー３間の隙間、
１５：ドレミ等の位置目印
【図１】
0003225343.tif 000003
【図２】
0003225343.tif 000004
【図３】
0003225343.tif 000005
【図４】
0003225343.tif 000006
【図５】
0003225343.tif 000007
【図６】
0003225343.tif 000008
【図７】
0003225343.tif 000009